(57)【要約】【課題】  告知情報をユーザのデスクトップ上にユーザ使用画面として配信するとともに、このユーザ使用画面に種々の機能を付加することで、魅力ある壁紙情報を配信する。【解決手段】  壁紙サーバ３は、企業データベース３１、ライセンス情報データベース３２、各企業の壁紙情報を格納する壁紙情報データベース３３、本システムに登録するユーザの個人情報を格納するユーザデータベース３４、これらデータベースを管理してユーザ端末１との間で壁紙情報等の送信やユーザの操作情報の受信等を管理するサーバ側制御部３５を備えており、ユーザ端末１は、壁紙サーバ３から取得した壁紙情報を格納する壁紙情報格納部１１、取得した壁紙情報をデスクトップの背景にユーザ使用画面として表示するための壁紙管理プログラムを格納した壁紙管理プログラム格納部１２、壁紙サーバ３との間で壁紙情報等の受信や操作情報の送信等を管理する端末側制御部１３を備えている。【選択図】  図１
2005242689.tif 000002
【特許請求の範囲】
【請求項１】
ユーザ端末と壁紙サーバとが通信ネットワークを介してオンライン接続された壁紙提供システムであって、
前記壁紙サーバは、登録ユーザの個人情報を格納する個人情報格納部と、登録クライアントから提供される広告配信データを壁紙情報として格納する壁紙情報格納部と、壁紙情報を前記ユーザ端末に対して配信する配信部とを備えており、
前記ユーザ端末は、前記壁紙サーバから取得した任意のクライアントの壁紙情報を格納する壁紙情報格納部と、取得した壁紙情報をデスクトップの背景にユーザ使用画面として表示するための壁紙管理プログラムを格納したプログラム格納部とを備えており、ユーザ端末のデスクトップに表示されるユーザ使用画面には、複数の壁紙とバナー広告とが掲載可能に設けられており、任意の壁紙を選択することでその選択した壁紙が背景画像として表示されることを特徴とする壁紙提供システム。
【請求項２】
前記壁紙管理プログラムは、ユーザの設定により、前記複数の壁紙を一定時間ごとに順次変更しながら表示する処理を実行することを特徴とする請求項１に記載の壁紙提供システム。
【請求項３】
前記壁紙管理プログラムは、自装置の起動時ごとに、最新の壁紙画像から順番にランダムに変更しながら表示する処理を実行することを特徴とする請求項１に記載の壁紙提供システム。
【請求項４】
前記壁紙サーバは、前記クライアントにより新規に配信したい壁紙が新たに登録された場合には、この壁紙情報を前記ユーザ端末に優先的に配信し、前記ユーザ端末の壁紙管理プログラムは、配信されてきた壁紙情報をデスクトップの背景画像として優先的に反映させることを特徴とする請求項１に記載の壁紙提供システム。
【請求項５】
前記壁紙サーバは、前記ユーザ端末による壁紙の設定変更やバナー広告の選択といった操作情報を受信して操作履歴を格納する操作履歴格納部をさらに備えており、格納された操作履歴情報に基づき、当該ユーザに合わせて壁紙の配信内容を変更することを特徴とする請求項１に記載の壁紙提供システム。
【請求項６】
前記壁紙サーバは、前記個人情報格納部に格納されているユーザの個人情報に基づき、該当ユーザに合わせて壁紙の配信内容を変更することを特徴とする請求項１または請求項５に記載の壁紙提供システム。
【発明の詳細な説明】
【技術分野】
【０００１】
本発明は、ユーザ端末と壁紙サーバとが通信ネットワークを介してオンライン接続された壁紙提供システムに関する。
【背景技術】
【０００２】
Ｗｅｂサイトなどによるインターネットメディアは、映像やサウンドなどを効果的に利用して、データベースによる顧客情報の収集データを元に、ユーザ一人一人に密着した情報配信を行えるなど、さまざまな情報を効果的に配信することが可能である。しかし、インターネット上には数えきれない情報があり、ユーザにとって必要な情報を開示するまでにはいくつものステップを踏まなければならないといった問題があった。また、インターネットメディアを利用して広告を配信しようとする広告主にとっても、自らの広告を積極的にユーザに配信することが難しく、広告効率の点で十分とは言えないといった問題があった。
【０００３】
そこで、このようなユーザの手間を省き、より効率的に広告配信を可能とした壁紙提供システムが提案されている（例えば、特許文献１参照）。
【０００４】
この壁紙提供システムは、ユーザ端末に提供すべき壁紙データを格納する壁紙データベースと、壁紙データとともにユーザ端末に提供すべき広告を格納する広告データベースと、壁紙データを要求する壁紙要求情報をユーザ端末から受信する要求受信部と、壁紙要求情報に従って壁紙データを壁紙データベースから検索する壁紙検索部と、壁紙データと組み合わせる広告を広告データベースから検索する広告検索部と、壁紙検索部が検索した壁紙データに広告検索部が検索した広告を合成する壁紙合成部と、壁紙合成部が合成した合成壁紙データをユーザ端末に送信する送信部とを備えた構成となっている。
【０００５】
このような構成の壁紙提供システムによれば、ユーザ端末に対して効果的に広告を配信することが可能となる。
【特許文献１】特開２００２−２１５０７４号公報
【発明の開示】
【発明が解決しようとする課題】
【０００６】
しかし、上記壁紙提供システムでは、広告主側にしてみれば、配信したい広告を効果的に配信できるものの、ユーザ側にとっては、広告主からの合成壁紙データを一方的に受信してデスクトップに壁紙として表示するのみであり、ユーザ側での使い勝手という面では不十分であった。つまり、ユーザ側にとっては、常に決まった情報の壁紙が表示されることになり、魅力に欠けるといった問題があった。さらに、配信する広告主側にとっても、一方的に配信するのみであるため、ユーザの希望する情報を的確に配信することが難しいといった問題があった。
【０００７】
本発明はかかる問題点を解決すべく創案されたもので、その目的は、告知したい情報をユーザのデスクトップ上にユーザ使用画面として配信することで、ユーザに対してダイレクトなプロモーションを可能にするとともに、このユーザ使用画面に種々の機能を付加することで、ユーザにとって魅力ある壁紙情報を配信することのできる壁紙提供システムを提供することにある。
【課題を解決するための手段】
【０００８】
本発明の壁紙提供システムは、ユーザ端末と壁紙サーバとが通信ネットワークを介してオンライン接続された壁紙提供システムであって、前記壁紙サーバは、登録ユーザの個人情報を格納する個人情報格納部と、登録クライアントから提供される広告配信データを壁紙情報として格納する壁紙情報格納部と、壁紙情報を前記ユーザ端末に対して配信する配信部とを備えており、前記ユーザ端末は、前記壁紙サーバから取得した任意のクライアントの壁紙情報を格納する壁紙情報格納部と、取得した壁紙情報をデスクトップの背景にユーザ使用画面として表示するための壁紙管理プログラムを格納したプログラム格納部とを備えており、ユーザ端末のデスクトップに表示されるユーザ使用画面には、複数の壁紙とバナー広告とが掲載可能に設けられており、任意の壁紙を選択することでその選択した壁紙が背景画像として表示されることを特徴とする。
【０００９】
このように、デスクトップに表示されているユーザ使用画面から任意の壁紙を選択することで、ユーザの好みにあった壁紙を表示することができる。
【００１０】
また、前記壁紙管理プログラムは、ユーザの設定により、前記複数の壁紙を一定時間ごとに順次変更しながら表示する処理を実行するようにしてもよい。これにより、より変化に富んだ壁紙画像をユーザに提供することができる。
【００１１】
また、前記壁紙管理プログラムは、自装置の起動時ごとに、最新の壁紙画像から順番にランダムに変更しながら表示する処理を実行するようにしてもよい。また、前記壁紙サーバは、前記クライアントにより新規に配信したい壁紙が新たに登録された場合には、この壁紙情報を前記ユーザ端末に優先的に配信し、前記ユーザ端末の壁紙管理プログラムは、配信されてきた壁紙情報をデスクトップの背景画像として優先的に反映させるようにしてもよい。これにより、最新の広告が優先的にユーザに提供されるため、ユーザにとってもいち早く最新情報をゲットすることが可能となる。
【００１２】
また、前記壁紙サーバは、前記ユーザ端末による壁紙の設定変更やバナー広告の選択といった操作情報を受信して操作履歴を格納する操作履歴格納部をさらに備えており、格納された操作履歴情報に基づき、当該ユーザに合わせて壁紙の配信内容を変更するようにしてもよい。また、前記壁紙サーバは、前記個人情報格納部に格納されているユーザの個人情報に基づき、該当ユーザに合わせて壁紙の配信内容を変更するようにしてもよい。例えば、大阪の在住の者のみに、大阪近郊の映画館での上映情報などを配信する等、都道府県によって壁紙の内容を変更することが可能である。これにより、ユーザにとっては、身近な最新情報をいち早く入手できるため、魅力ある壁紙情報を取得することが可能となる。
【発明の効果】
【００１３】
本発明の壁紙提供システムによれば、告知したい情報をユーザのデスクトップ上にユーザ使用画面として配信することで、ユーザに対してダイレクトなプロモーションを可能にするとともに、このユーザ使用画面に種々の機能を付加することで、ユーザにとって魅力ある壁紙情報を配信することができる。
【発明を実施するための最良の形態】
【００１４】
以下、本発明の実施の形態について、図面を参照して説明する。
【００１５】
図１は、本発明の壁紙提供システムの概略構成図である。
【００１６】
本発明の壁紙提供システムは、ユーザ端末１と壁紙サーバ３とが通信ネットワークＮを介してオンライン接続された構成となっている。
【００１７】
壁紙サーバ３は、広告配信主（クライアント）である主に企業の情報を格納する企業データベース３１、ライセンス情報を格納するライセンス情報データベース３２、各企業の壁紙情報を格納する壁紙情報データベース（壁紙情報格納部）３３、本システムに登録するユーザの個人情報を格納するユーザデータベース（個人情報格納部）３４、これらデータベースを管理してユーザ端末１との間で壁紙情報等の送信やユーザの操作情報の受信等を管理するサーバ側制御部３５などを備えている。
【００１８】
ユーザ端末１は、壁紙サーバ３から取得した任意のクライアントの壁紙情報を格納する壁紙情報格納部１１、取得した壁紙情報をデスクトップの背景にユーザ使用画面として表示するための壁紙管理プログラムを格納した壁紙管理プログラム格納部１２、壁紙サーバ３との間で壁紙情報等の受信や操作情報の送信等を管理する端末側制御部１３などを備えている。
【００１９】
壁紙管理プログラムは、ユーザの設定により、複数の壁紙を一定時間ごとに順次変更しながら表示する処理を実行する。また、自装置の起動時ごとに、最新の壁紙画像から順番にランダムに変更しながら表示する処理を実行する。
【００２０】
また、壁紙サーバ３は、クライアントである広告主より新規に配信したい壁紙が新たに登録された場合には、この壁紙情報をユーザ端末１に優先的に配信し、ユーザ端末１の壁紙管理プログラムは、配信されてきた壁紙情報をデスクトップの背景画像として優先的に反映させるように処理を実行する。
【００２１】
また、壁紙サーバ３は、ユーザ端末１による壁紙の設定変更やバナー広告の選択といった操作情報を受信して操作履歴をユーザデータベース３４に格納するとともに、格納された操作履歴情報に基づき、当該ユーザに合わせて壁紙の配信内容を変更する処理を実行する。さらに、壁紙サーバ３は、ユーザデータベース３４に格納されているユーザの個人情報に基づき、該当ユーザに合わせて壁紙の配信内容を変更する処理を実行する。
【００２２】
次に、上記構成の壁紙提供システムにおいて、最初に壁紙管理プログラムをユーザ端末１にインストールし、インストールした壁紙をユーザ使用画面としてデスクトップに表示するまでの処理動作について、図２ないし図４に示すフローチャート及び図５に示す個人情報の入力画面例を参照して説明する。
【００２３】
ユーザ端末１から壁紙を配信する任意のＷｅｂサイトへアクセスすると、そのＷｅｂページにオンラインスクリーンのバナーがリンクされているので、このオンラインスクリーンのバナーをクリックし、「ダウンロード」ボタンをクリックすると、ダウンロード画面が表示される。そのダウンロード画面の「保存」ボタンをクリックすると、ファイルを保存するウィンドウが開き、ダウンロードが開始される。その後、保存されたファイルをクリックすると、ファイルのインストールのウィンドウが開くので、そのウィンドウに表示される手順に従ってインストールを開始する。ここまでのインストール手順は、ごく一般的なものであるので、図示等の詳細は特に示していない。インストールを完了したら「完了」ボタンをクリックすることで、スタートメニューにオンラインスクリーンのアイコンが自動で登録されるようになっている。
【００２４】
なお、上記説明では、本システムの壁紙管理プログラムの取得を、インターネット上に公開されている壁紙サーバ３のＷｅｂページや本システムに登録している企業のＷｅｂページ等からインストールする構成としているが、例えば壁紙管理プログラムを格納した記録媒体（ＣＤ−ＲＯＭ等）をユーザに直接配布し、ユーザが自己の端末にＣＤ−ＲＯＭを装填してインストールするようにしてもよい。
【００２５】
スタートメニューに表示されたアイコンをクリックすると、オンラインスクリーンが起動され（ステップＳ１）、初回起動時のみステップＳ２でＹｅｓと判断され、図５に示す個人情報の入力画面が表示される（ステップＳ３）。ユーザは、この入力画面に名前、性別、生年月日、住所、メールアドレス等を入力し、「決定」ボタンをクリックすることで（ステップＳ４）、この個人情報が壁紙サーバ３に送信される（ステップＳ５）。
【００２６】
壁紙サーバ３は、受信した個人情報をユーザデータベース３４に登録し、会員番号を決定する（ステップＳ６）。決定した会員番号はユーザ端末１に送信される。
【００２７】
ユーザ端末１は、壁紙サーバ３から会員番号を取得すると（ステップＳ７）、その会員番号をハードディスク（ＨＤ）に保存する（ステップＳ８）。以後、ユーザは、この会員番号によって壁紙サーバ３と通信を行うことになる。
【００２８】
なお、他のＷｅｂサイトからオンラインスクリーンをダウンロードして壁紙を変更したい場合には、そのＷｅｂサイトへアクセスして上記ステップＳ１までの処理を実行することによって、スタートメニューのプロパティにオンラインスクリーンが追加されるので、設定したいオンラインスクリーンをその中から選択することで、他のコンテンツの壁紙に変更することができる。
【００２９】
次に、ユーザ端末１は、新規インストールの有無を確認する（ステップＳ９）。この場合には、新規インストールを行っているので、判断はＹｅｓとなるため、ユーザ端末１は、新規インストールを行った企業番号を壁紙サーバ３に送信する（ステップＳ１０）。
【００３０】
壁紙サーバ３は、今回新規登録した会員と新規インストールされた企業とのリレーショナル情報を作成してデータベースに登録する（ステップＳ１１）
また、ユーザ端末１は、壁紙サーバ３に企業データの更新（例えば、住所が変更になった等）があるか問い合わせを行う（ステップＳ１２）。壁紙サーバ３では、更新があった場合には、企業データベース３１から更新データを抽出してユーザ端末１に送信する（ステップＳ１３）。ユーザ端末１は、取得した企業情報をハードディスクに保存する（ステップＳ１４）。
【００３１】
また、ユーザ端末１は、壁紙サーバ３にライセンスデータの更新があるか問い合わせを行う（ステップＳ１５）。壁紙サーバ３では、更新があった場合には、ライセンスデータベース３２から更新データを抽出してユーザ端末１に送信する（ステップＳ１６）。ユーザ端末１は、取得したライセンスデータをハードディスクに保存する（ステップＳ１７）。
【００３２】
また、ユーザ端末１は、壁紙サーバ３に壁紙パーツの更新があるか問い合わせを行う（ステップＳ１８）。壁紙サーバ３では、更新があった場合には、壁紙情報データベース３３から更新データを抽出してユーザ端末１に送信する（ステップＳ１９）。ユーザ端末１は、取得した壁紙パーツを壁紙情報記憶部１１に保存する（ステップＳ２０）。
【００３３】
この後、ユーザ端末１は、パソコンのデスクトップの領域にインターネットブラウザを作成し（ステップＳ２１）、ＨＴＭＬやＦｌａｓｈ、Ｓｈｏｃｋｗａｖｅなどの形式で表示する（ステップＳ２２）。そして、前回選択した企業とライセンスと壁紙とをＨＤ及び壁紙サーバ３から取得し、壁紙パーツ情報を表示する（ステップＳ２３）。
【００３４】
この後、企業変更を行ったかどうか（ステップＳ２４）、ライセンス変更を行ったかどうか（ステップＳ２５）、壁紙変更を行ったかどうか（ステップＳ２６）をそれぞれ監視しする。そして、任意の企業がユーザ表示画面上で選択されることによって変更された場合（ステップＳ２４でＹｅｓと判断された場合）には、その選択した企業情報を壁紙サーバ３のユーザデータベース３４に、ユーザの行った変更履歴として保存して（ステップＳ２７）、ステップＳ１２に戻る。
【００３５】
一方、ライセンス、壁紙のいずれかがユーザ表示画面上で選択されることによって変更された場合（ステップＳ２５，ステップＳ２６でＹｅｓと判断された場合）には、その選択した企業情報を壁紙サーバ３のユーザデータベース３４に、ユーザの行った変更履歴として保存した後（ステップＳ２８）、ステップＳ２１に戻る。
【００３６】
また、壁紙の情報表示用パーツが選択された場合（ステップＳ２９でＹｅｓと判断された場合）には、ブラウザを起動してリンクされているＵＲＬのＷｅｂページを表示する（ステップＳ３０）。なお、いずれの変更も行われず、なおかつ処理が終了した場合には、ステップＳ３１でＹｅｓと判断され、全ての処理を終了することになる。
【００３７】
以上が、本実施形態の壁紙提供システムの基本的な処理動作の説明である。
【００３８】
次に、本実施形態の壁紙提供システムによる具体的な処理動作について説明する。
【００３９】
図６は、オンラインスクリーンの起動時に、ユーザ端末１のデスクトップに表示されるユーザ使用画面の一構成例を示している。
【００４０】
ユーザ使用画面１００には、複数の壁紙とバナー広告とが掲載可能に設けられており、図中、左側にメニュー画面が表示されている。メニュー画面は、画面最上部からタイマー表示画面１０１、Ｗｅｂサイトへのリンク表示画面１０２、新着情報の表示画面１０３、アニメーションバナーの表示画面１０４ａ，１０４ｂ、壁紙設定画面１０５となっている。
【００４１】
タイマー表示画面１０１は、例えば壁紙が新着映画の広告画面である場合に、その映画の上映までのタイムリミットを、図示しないカウントダウンタイマーによる計時によって表示するようになっている。Ｗｅｂサイトへのリンク表示画面１０２には、Ｗｅｂサイト集客へのバナーが設置されている。新着情報の表示画面１０３は、Ｗｅｂサイトでの更新情報や劇場前売券などの情報が例えばテキスト形式で表示されている。
【００４２】
アニメーションバナーの表示画面１０４ａ，１０４ｂには、Ｗｅｂサイトでの更新情報や劇場前売券などの情報が動画または静止画のバナー画像として掲載される。このバナー画像をクリックすることで、Ｗｅｂサイトへアクセスできるようになっている。また、映画の予告編などもバナー画像として掲載される。このバナー画像をクリックすることで、音楽／動画再生プログラムが起動し、図７に示すように壁紙上に専用の映像プレーヤー１１５が表示されるので、その映像プレーヤー１１５によって映画情報の映像や音声等が再生される。ただし、バナー画像をクリックすることで音楽／動画再生プログラムが起動し、例えばメディアプレーヤー等の音楽／動画再生ソフトが表示されて、映画情報の映像や音声等が再生されるようにしてもよい。なお、壁紙上で専用の映像プレーヤーによって再生する場合は、上記メディアプレーヤー等の音楽／動画再生ソフトが不要であり、システムとしてはより汎用性の高いものとなる。
【００４３】
壁紙設定画面１０５は、現在の壁紙を違う壁紙に変更するときなどに使用する。この壁紙設定画面１０５をクリックすることで、図８に示すように、現在登録されている複数の壁紙一覧がサムネイル画像１１０として表示されるので、ユーザは、そのサムネイル画像１１０の中から壁紙に設定したいサムネイル画像にポインティングデバイスを移動させてクリックすると、右側のウィンドウ１１１にサンプル画像が表示される。ユーザは、このサンプル画像を壁紙として設定する場合には、そのサンプル画像の右下に表示されている「決定」ボタン１１１ａをクリックする（または、サムネイル画像１１０の右上に表示されている「ＦＩＸ」ボタン１１０ａをクリックする）ことで、サンプル画像が壁紙に固定されるようになっている。なお、このように壁紙を変更した情報は、ユーザ利用率のアクセスログとして、ユーザ端末１から壁紙サーバ３へ送信され、壁紙サーバ３でユーザの操作履歴としてユーザデータベース３４に格納される。
【００４４】
また、ユーザは、図８に示すように、現在登録されている複数の壁紙一覧がサムイル画像１１０として表示されている状態で、画面右上に表示されている「ＲＡＮＤＡＭ」ボタン１１０ｂをクリックすることで、壁紙をカスタマイズすることが可能となっている。すなわち、気に入った壁紙を複数種類選んで、設定時間ごとにランダムに更新することが可能となっている。
【００４５】
具体的には、「ＲＡＮＤＡＭ」ボタン１１０ｂをクリックすることで、図９に示すカスタマイズウィンドウ（サムネイル画像）１２０が表示されるので、このカスタマイズウィンドウ１２０の中から壁紙に設定したいサムネイル画像にポインティングデバイスを順次移動させてクリックすると、カスタマイズウィンドウ１２０の下段に選択されたサンプル画像が表示（この例では、♯０５、♯３、♯０２の３種類が選択）される。
【００４６】
ユーザは、この表示されたサンプル画像を目視により確認後、これでよければ、カスタマイズウィンドウ１２０内の下部に表示されている壁紙変更時間の入力窓１２０ａに変更時間（例えば、３０分等）を入力し、「設定」ボタン１２０ｂをクリックする。これにより、ユーザ使用画面には、上記選択した３種類の壁紙が、３０分おきにランダムに変更されていくことになる。また、このような設定情報は、ユーザ利用率のアクセスログとして、ユーザ端末１から壁紙サーバ３へ送信され、壁紙サーバ３でユーザの操作履歴としてユーザデータベース３４に格納される。
【００４７】
また、本実施形態の壁紙提供システムでは、壁紙サーバ３から、ユーザの年齢や性別ごとに最新情報をリアルタイムに配信することも可能である。すなわち、広告主であるクライアントから、新規に配信したい壁紙があれば、各壁紙に名称（ソート番号）を持たせておく。そして、予約機能により壁紙サーバ３に時間軸を持たせて、ユーザ端末１のデスクトップにリアルタイムに反映させるようにすればよい。これにより、最新の広告が優先的にユーザに提供されるため、ユーザにとってもいち早く最新情報を取得することが可能となる。
【００４８】
また、本実施形態の壁紙提供システムでは、壁紙サーバ３は、ユーザ端末１による壁紙の設定変更やバナー広告の選択といった操作情報を操作履歴としてユーザデータベース３４に格納している。従って、壁紙サーバ３では、年列別、性別、都道府県別、及び各壁紙などのアクセスログ別に、これらのデータに合わせて配信内容を変更することが可能である。具体的には、例えば、大阪の在住者のみに、大阪近郊の映画館での上映情報などを配信するといったことか可能となる。これにより、ユーザにとっては、身近な最新情報をいち早く入手できるため、魅力ある壁紙情報を取得することができる。
【図面の簡単な説明】
【００４９】
【図１】本発明の壁紙提供システムの概略構成図である。
【図２】本発明の壁紙提供システムにおいて、最初に壁紙管理プログラムをユーザ端末にインストールし、インストールした壁紙をユーザ使用画面としてデスクトップに表示するまでの処理動作を説明するためのフローチャートである。
【図３】本発明の壁紙提供システムにおいて、最初に壁紙管理プログラムをユーザ端末にインストールし、インストールした壁紙をユーザ使用画面としてデスクトップに表示するまでの処理動作を説明するためのフローチャートである。
【図４】本発明の壁紙提供システムにおいて、最初に壁紙管理プログラムをユーザ端末にインストールし、インストールした壁紙をユーザ使用画面としてデスクトップに表示するまでの処理動作を説明するためのフローチャートである。
【図５】個人情報の入力画面例を示す説明図である。
【図６】オンラインスクリーンの起動時に、ユーザ端末のデスクトップに表示されるユーザ使用画面の一構成例を示す説明図である。
【図７】壁紙上に専用の映像プレーヤー１１５が表示されている状態を示す説明図である。
【図８】現在の壁紙を違う壁紙に変更するときのユーザ使用画面の表示例を示す説明図である。
【図９】壁紙をカスタマイズするときのカスタマイズウィンドウ画面の表示例を示す説明図である。
【符号の説明】
【００５０】
１  ユーザ端末
１１  壁紙情報記憶部
１２  壁紙管理プログラム格納部
１３  端末側制御部
３  壁紙サーバ
３１  企業データベース
３２  ライセンス情報データベース
３３  壁紙情報データベース
３４  ユーザデータベース
３５  サーバ側制御部
１００  ユーザ使用画面
１０１  タイマー表示画面
１０２  リンク表示画面
１０３  新着情報の表示画面
１０４ａ，１０４ｂ  アニメーションバナーの表示画面
１０５  壁紙設定画面
１１０  サムネイル画像
１１０ａ  「ＦＩＸ」ボタン
１１０ｂ  「ＲＡＮＤＡＭ」ボタン
１１１  サンプル画像
１２０  カスタマイズウィンドウ
１２０ａ  壁紙変更時間の入力窓
１２０ｂ  「設定」ボタン
Ｎ  通信ネットワーク
【図１】
2005242689.tif 000003
【図２】
2005242689.tif 000004
【図３】
2005242689.tif 000005
【図４】
2005242689.tif 000006
【図５】
2005242689.tif 000007
【図６】
2005242689.tif 000008
【図７】
2005242689.tif 000009
【図８】
2005242689.tif 000010
【図９】
2005242689.tif 000011